(57)【特許請求の範囲】
【請求項１】
各々互いに異なる位置から被写体像を示す画像情報を取得するための複数の撮像光学系と、
予め定められた複数の光源種の何れかを選択する選択情報を入力するための入力手段と、
前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、前記一部の撮像光学系の各光源種に応じた調整値に基づいて残りの撮像光学系の調整値を導出するための係数を残りの撮像光学系に関連付けて予め記憶した記憶手段と、
前記係数、及び前記入力手段から入力された選択情報によって示される光源種に応じた前記一部の撮像光学系の調整値に基づいて前記残りの撮像光学系の調整値を導出し、各撮像光学系の調整値を設定する設定手段と、
前記設定手段により設定された調整値を用いて前記ホワイトバランス調整を行なう調整手段と、
を備えたカメラ。
【請求項２】
前記係数を、輝線を持つ光源種に応じた係数及び輝線を持たない光源種に応じた係数の２種類とし、
前記設定手段は、前記選択情報により示される光源種の輝線の有無に応じた係数及び前記一部の撮像光学系の前記選択情報によって示される光源種に応じた調整値に基づいて前記残りの撮像光学系の調整値を導出し、各撮像光学系の調整値を設定する
請求項１記載のカメラ。
【請求項３】
各々互いに異なる位置から被写体像を示す画像情報を取得するための複数の撮像光学系と、
予め定められた複数の光源種の何れかを選択する選択情報を入力するための入力手段と、
前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、所定の光源種と当該光源種に応じた調整値とを残りの撮像光学系に関連付けて予め記憶した記憶手段と、
前記入力手段により入力された選択情報により示される光源種が前記所定の光源種以外の光源種であった場合には、前記一部の撮像光学系の前記所定の光源種に応じた調整値と前記残りの撮像光学系の前記所定の光源種に応じた調整値との比率を導出し、当該比率及び前記一部の撮像光学系の前記選択情報により示される光源種に応じた調整値を用いて前記残りの撮像光学系の調整値を導出し、各撮像光学系の調整値を設定する設定手段と、
前記設定手段により設定された調整値を用いて前記ホワイトバランス調整を行なう調整手段と、
を備えたカメラ。
【請求項４】
各々互いに異なる位置から被写体像を示す画像情報を取得するための複数の撮像光学系と、予め定められた複数の光源種の何れかを選択する選択情報を入力するための入力手段と、を備えたカメラの制御方法であって、
前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、前記一部の撮像光学系の各光源種に応じた調整値に基づいて残りの撮像光学系の調整値を導出するための係数を残りの撮像光学系に関連付けて予め記憶しておき、
前記係数、及び前記入力手段から入力された選択情報によって示される光源種に応じた前記一部の撮像光学系の調整値に基づいて前記残りの撮像光学系の調整値を導出し、各撮像光学系の調整値を設定し、
設定された調整値を用いて前記ホワイトバランス調整を行なう
カメラの制御方法。
【請求項５】
前記係数を、輝線を持つ光源種に応じた係数及び輝線を持たない光源種に応じた係数の２種類とし、
前記選択情報により示される光源種の輝線の有無に応じた係数及び前記一部の撮像光学系の前記選択情報によって示される光源種に応じた調整値に基づいて前記残りの撮像光学系の調整値を導出し、各撮像光学系の調整値を設定する請求項４記載のカメラの制御方法。
【請求項６】
各々互いに異なる位置から被写体像を示す画像情報を取得するための複数の撮像光学系と、予め定められた複数の光源種の何れかを選択する選択情報を入力するための入力手段と、を備えたカメラの制御方法であって、
前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、所定の光源種と当該光源種に応じた調整値とを残りの撮像光学系に関連付けて予め記憶しておき、
前記入力手段により入力された選択情報により示される光源種が前記所定の光源種以外の光源種であった場合には、前記一部の撮像光学系の前記所定の光源種に応じた調整値と前記残りの撮像光学系の前記所定の光源種に応じた調整値との比率を導出し、当該比率及び前記一部の撮像光学系の前記選択情報により示される光源種に応じた調整値を用いて前記残りの撮像光学系の調整値を導出し、各撮像光学系の調整値を設定し、
設定された調整値を用いて前記ホワイトバランス調整を行なう
カメラの制御方法。
【発明の詳細な説明】
【技術分野】
【０００１】
本発明は、複数の撮像光学系により各々互いに異なる位置から被写体像を示す画像情報を取得し、取得された複数の画像情報のホワイトバランス調整を、予め設定された調整値を用いて行なうカメラ及びカメラの制御方法に関する。
【背景技術】
【０００２】
近年、立体画像に対する関心が高まっており、互いに異なる２位置に設けられた２つのカメラユニットを用いて右目用の画像及び左目用の画像を取得することにより立体画像が撮影可能なカメラが実用化されている。
【０００３】
一方、通常の２次元の画像を取得するカメラには、画像の色味を調整するホワイトバランス制御機能が一般的な機能として備えられており、上記立体画像が撮影可能なカメラにおいてもホワイトバランス制御を行なうことにより適切な色味の画像が得られる。
【０００４】
従来、立体画像が撮影可能なカメラにおけるホワイトバランス制御に適用し得る技術として、特許文献１には、通常の（２次元の）画像を取得するカメラにおいて、まず、シャッタボタンの半押し時に、Ｒ，Ｇ，Ｂの積算値に基づくＲ／Ｇ／Ｂの比とＥＶ値とに基づいて光源種を判別し、光源種に応じたホワイトバランス調整値に従って前段ゲインブロックのアナログアンプゲインを制御してホワイトバランスの粗補正を行ない、その後、シャッタボタンの全押し時に、記録用画像の撮り込み処理を行ない、当該処理により撮り込まれた画像データにおけるＲ／Ｇ／Ｂに基づき計算したホワイトバランス補正値に従って後段ゲインブロックのアナログアンプゲインを制御してホワイトバランスの微補正を行なうようにした技術が開示されている。
【０００５】
また、特許文献２には、通常の（２次元の）画像を取得するカメラにおいて、被写体を照明する光の色温度情報を測定し、当該色温度情報に基づいてホワイトバランス調整を行なうようにした技術が開示されている。
【０００６】
さらに、特許文献３には、通常の（２次元の）画像を取得するカメラにおいて、複数の光源に対応付けて複数の色温度情報を記憶しておき、被写体を照射する光源の色温度情報を設定し、設定された色温度情報に基づいてホワイトバランス補正の補正値を求め、上記補正値に従って利得制御回路の利得を制御するようにした技術が開示されている。
【特許文献１】特開２０００−２９９８７６公報
【特許文献２】特開平６−１６５１８９号公報
【特許文献３】特開平９−１８７４１２号公報
【発明の開示】
【発明が解決しようとする課題】
【０００７】
しかしながら、上記特許文献１乃至特許文献３に記載の技術では、複数のカメラユニットにより取得された複数の画像情報に対するホワイトバランス調整については何ら考慮されていないため、単純に上記特許文献１乃至特許文献３に記載の技術を適用して、立体画像が撮影可能なカメラのホワイトバランス調整を行なった場合、各画像情報の調整結果にずれが生じてしまう、という問題点があった。
【０００８】
すなわち、カメラを構成する各カメラユニットでは、それぞれのレンズ、ＯＬＰＦ（Optical Low Pass Filter）やＩＲカットフィルタ等の光学素子の分光特性、或いは、ＣＣＤそのものの分光特性の違いにより、同一のゲインでホワイトバランス調整を行なった後の各画像の色味にずれが生じてしまうことがある。
【０００９】
当該色味のずれは、これらの画像に基づいて生成した立体画像情報が不適切なものになり、当該立体画像情報により示される画像の立体視を困難にしてしまうことがある。
【００１０】
本発明は上記問題点を解決するためになされたものであり、ホワイトバランス制御を高精度に行なうことができるカメラ及びカメラの制御方法を提供することを目的とする。
【課題を解決するための手段】
【００１１】
上記目的を達成するために、請求項１記載のカメラは、各々互いに異なる位置から被写体像を示す画像情報を取得するための複数の撮像光学系と、予め定められた複数の光源種の何れかを選択する選択情報を入力するための入力手段と、前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、前記一部の撮像光学系の各光源種に応じた調整値に基づいて残りの撮像光学系の調整値を導出するための係数を残りの撮像光学系に関連付けて予め記憶した記憶手段と、前記係数、及び前記入力手段から入力された選択情報によって示される光源種に応じた前記一部の撮像光学系の調整値に基づいて前記残りの撮像光学系の調整値を導出し、各撮像光学系の調整値を設定する設定手段と、前記設定手段により設定された調整値を用いて前記ホワイトバランス調整を行なう調整手段と、を備えている。
【００１２】
請求項１に記載のカメラでは、各々互いに異なる位置から被写体像を示す画像情報が複数の撮像光学系により取得され、各々前記複数の撮像光学系と１対１で対応する情報であり、かつ対応する撮像光学系により取得された画像情報のホワイトバランス調整に用いる複数の調整情報が記憶手段に予め記憶されており、前記複数の撮像光学系により取得された複数の画像情報のホワイトバランス調整が、予め設定された各々に対応する調整値を用いて調整手段により行なわれ、前記調整情報に基づいて設定手段により前記調整手段に前記調整値が設定される。
【００１３】
すなわち、本発明に係るカメラでは、ホワイトバランス調整に用いる調整値を設定するための調整情報を各撮像光学系毎に複数記憶しておくので、各撮像光学系に固有の特性等に応じた調整値をそれぞれ設定することができる。また、各撮像光学系により取得された各画像情報のホワイトバランス調整を各々に対応する調整値を用いて行なうので、各画像情報のホワイトバランス調整の結果を精度よく一致させることができる。
【００１４】
なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、フロッピィディスク、ＣＤ−Ｒ（Compact Disc-Recordable）、ＣＤ−ＲＷ（Compact Disc-ReWritable）、光磁気ディスク等の可搬記録媒体やハードディスク等の固定記録媒体等を用いることができる。
【００１５】
このように、請求項１に記載のカメラは、複数の撮像光学系により各々互いに異なる位置から被写体像を示す画像情報を取得し、取得された複数の画像情報のホワイトバランス調整を、予め設定された調整値を用いて行なうに際し、各々前記複数の撮像光学系と１対１で対応する情報であり、かつ対応する撮像光学系により取得された画像情報のホワイトバランス調整に用いる複数の調整情報を予め記憶しておき、前記複数の調整情報に基づいて各々前記複数の撮像光学系に対応する調整値を設定しているので、ホワイトバランス制御を高精度に行なうことができる。また、各撮像光学系の調整値を複数の光源種に応じて設定することができるので、光源の種類によって異なる色温度に応じてホワイトバランス制御を高精度に行なうことができる。更に、残りの撮像光学系に対応する調整情報の情報容量を少なくすることができるので、記憶手段の記憶容量を節約することができる。
【００１９】
さらに、請求項１に記載の発明は、請求項２に記載の発明のように、前記係数を、輝線を持つ光源種に応じた係数及び輝線を持たない光源種に応じた係数の２種類とし、前記設定手段は、前記選択情報により示される光源種の輝線の有無に応じた係数及び前記一部の撮像光学系の前記選択情報によって示される光源種に応じた調整値に基づいて前記残りの撮像光学系の調整値を導出し、各撮像光学系の調整値を設定するようにすることもできる。これにより、記憶手段の記憶容量を節約しつつ、光源種の輝線の有無による色温度の極端な違いを考慮して、ホワイトバランス制御を高精度に行なうことができる。
【００２０】
また、上記目的を達成するために、請求項３記載のカメラは、各々互いに異なる位置から被写体像を示す画像情報を取得するための複数の撮像光学系と、予め定められた複数の光源種の何れかを選択する選択情報を入力するための入力手段と、前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、所定の光源種と当該光源種に応じた調整値とを残りの撮像光学系に関連付けて予め記憶した記憶手段と、前記入力手段により入力された選択情報により示される光源種が前記所定の光源種以外の光源種であった場合には、前記一部の撮像光学系の前記所定の光源種に応じた調整値と前記残りの撮像光学系の前記所定の光源種に応じた調整値との比率を導出し、当該比率及び前記一部の撮像光学系の前記選択情報により示される光源種に応じた調整値を用いて前記残りの撮像光学系の調整値を導出し、各撮像光学系の調整値を設定する設定手段と、前記設定手段により設定された調整値を用いて前記ホワイトバランス調整を行なう調整手段と、を備えている。
【００２１】
これにより、複数の撮像光学系により各々互いに異なる位置から被写体像を示す画像情報を取得し、取得された複数の画像情報のホワイトバランス調整を、予め設定された調整値を用いて行なうに際し、各々前記複数の撮像光学系と１対１で対応する情報であり、かつ対応する撮像光学系により取得された画像情報のホワイトバランス調整に用いる複数の調整情報を予め記憶しておき、前記複数の調整情報に基づいて各々前記複数の撮像光学系に対応する調整値を設定しているので、ホワイトバランス制御を高精度に行なうことができる。また、各撮像光学系の調整値を複数の光源種に応じて設定することができるので、光源の種類によって異なる色温度に応じてホワイトバランス制御を高精度に行なうことができる。更に、選択情報により示される光源種が所定の光源種であった場合は記憶手段に調整情報として記憶されている調整値をそのまま設定すればよく、調整値の設定処理が容易かつ高速に行なえる一方、その他の光源種であった場合は一部の撮像光学系の所定の光源種に応じた調整値と残りの撮像光学系の所定の光源種に応じた調整値との比率を導出し、当該比率と一部の撮像光学系の選択情報により示される光源種に応じた調整値とを用いて残りの撮像光学系の調整値を導出するので、残りの撮像光学系に対応する調整情報の情報容量を少なくすることができ、記憶手段の記憶容量を節約することができる。
【００２２】
一方、上記目的を達成するために、請求項４に記載のカメラの制御方法は、各々互いに異なる位置から被写体像を示す画像情報を取得するための複数の撮像光学系と、予め定められた複数の光源種の何れかを選択する選択情報を入力するための入力手段と、を備えたカメラの制御方法であって、前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、前記一部の撮像光学系の各光源種に応じた調整値に基づいて残りの撮像光学系の調整値を導出するための係数を残りの撮像光学系に関連付けて予め記憶しておき、前記係数、及び前記入力手段から入力された選択情報によって示される光源種に応じた前記一部の撮像光学系の調整値に基づいて前記残りの撮像光学系の調整値を導出し、各撮像光学系の調整値を設定し、設定された調整値を用いて前記ホワイトバランス調整を行なうものである。
【００２３】
したがって、請求項４に記載のカメラの制御方法によれば、上記請求項１に記載の発明と同様に作用するので、請求項１に係る発明と同様の効果を得ることができる。
また、請求項４に記載の発明は、請求項５に記載の発明のように、前記係数を、輝線を持つ光源種に応じた係数及び輝線を持たない光源種に応じた係数の２種類とし、前記選択情報により示される光源種の輝線の有無に応じた係数及び前記一部の撮像光学系の前記選択情報によって示される光源種に応じた調整値に基づいて前記残りの撮像光学系の調整値を導出し、各撮像光学系の調整値を設定するものとしてもよい。
したがって、請求項５に記載のカメラの制御方法によれば、上記請求項２に記載の発明と同様に作用するので、請求項２に係る発明と同様の効果を得ることができる。
一方、上記目的を達成するために、請求項６に記載のカメラの制御方法は、各々互いに異なる位置から被写体像を示す画像情報を取得するための複数の撮像光学系と、予め定められた複数の光源種の何れかを選択する選択情報を入力するための入力手段と、を備えたカメラの制御方法であって、前記複数の光源種と、前記複数の撮像光学系により取得された複数の画像情報のホワイトバランス調整を行うために用いられる、各光源種に応じた調整値とを一部の撮像光学系に関連付けて予め記憶し、かつ、所定の光源種と当該光源種に応じた調整値とを残りの撮像光学系に関連付けて予め記憶しておき、前記入力手段により入力された選択情報により示される光源種が前記所定の光源種以外の光源種であった場合には、前記一部の撮像光学系の前記所定の光源種に応じた調整値と前記残りの撮像光学系の前記所定の光源種に応じた調整値との比率を導出し、当該比率及び前記一部の撮像光学系の前記選択情報により示される光源種に応じた調整値を用いて前記残りの撮像光学系の調整値を導出し、各撮像光学系の調整値を設定し、設定された調整値を用いて前記ホワイトバランス調整を行なうものである。
したがって、請求項６に記載のカメラの制御方法によれば、上記請求項３に記載の発明と同様に作用するので、請求項３に係る発明と同様の効果を得ることができる。
【発明の効果】
【００２４】
以上説明したように、本発明に係るカメラ及びカメラの制御方法は、複数の撮像光学系により各々互いに異なる位置から被写体像を示す画像情報を取得し、取得された複数の画像情報のホワイトバランス調整を、予め設定された調整値を用いて行なうに際し、各々前記複数の撮像光学系と１対１で対応する情報であり、かつ対応する撮像光学系により取得された画像情報のホワイトバランス調整に用いる複数の調整情報を予め記憶しておき、前記複数の調整情報に基づいて各々前記複数の撮像光学系に対応する調整値を設定しているので、ホワイトバランス制御を高精度に行なうことができる、という優れた効果を有する。
【発明を実施するための最良の形態】
【００２５】
以下、図面を参照して、発明を実施するための最良の形態について詳細に説明する。なお、ここでは、本発明を立体静止画像及び通常（２次元）の静止画像の撮影を行う機能を有するデジタル電子スチルカメラ（以下、単に「デジタルカメラ」という。）に適用した場合について説明する。
（第１の実施の形態）
まず、図１を参照して、本実施の形態に係るデジタルカメラ１０の外観上の構成を説明する。同図に示すように、デジタルカメラ１０の正面には、各々被写体像を結像させるための一対のレンズ１２Ａ及びレンズ１２Ｂと、撮影する被写体の構図を決定するために用いられるファインダ７０と、が備えられている。
【００２６】
また、デジタルカメラ１０の上面には、撮影を実行する際に撮影者によって押圧操作されるレリーズボタン（所謂シャッター）５２Ａと、電源スイッチ５２Ｅと、が備えられている。
【００２７】
なお、本実施の形態に係るレリーズボタン５２Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２８】
そして、本実施の形態に係るデジタルカメラ１０では、後述する撮影モードが設定されている場合にレリーズボタン５２Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２９】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、立体の静止画像の撮影を行うモードである立体撮影モード、２次元の静止画像の撮影を行うモードである通常撮影モード及び撮影によって得られたデジタル画像データにより示される被写体像をＬＣＤ３０に表示（再生）するモードである再生モードの何れかのモードに設定するために操作されるモード切替スイッチ５２Ｂと、十字カーソルボタン５２Ｃと、撮影時に被写体像のズーミング（拡大及び縮小）を行うときに操作されるズームスイッチ５２Ｄと、が備えられている。
【００３０】
また、十字カーソルボタン５２Ｃは、ＬＣＤ３０の表示領域における上・下・左・右の４方向の移動方向を示す４つの矢印キー及び当該４つの矢印キーの中央部に位置された決定キーの合計５つのキーを含んで構成されている。また、ズームスイッチ５２Ｄは、同図の‘Ｔ’の位置に対応し、かつ被写体像を拡大するときに操作されるテレ・スイッチと、同図の‘Ｗ’の位置に対応し、かつ被写体像を縮小するときに操作されるワイド・スイッチと、により構成されている。
【００３１】
一方、デジタルカメラ１０の側面には、撮影によって得られたデジタル画像データが記録可能な記録メディア（ここでは、当該デジタル画像データが画像ファイルとして記録される記録メディア。）を装着することができるスロットＳＬが設けられている。
【００３２】
次に、図２を参照して、本実施の形態に係るデジタルカメラ１０の電気系の構成を説明する。
【００３３】
同図に示すように、デジタルカメラ１０は、前述のレンズ１２Ａを含んで構成された光学ユニット１３Ａと、レンズ１２Ａの光軸後方に配設されたＣＣＤ（電荷結合素子）１４Ａと、相関二重サンプリング回路（以下、「ＣＤＳ」という。）１６Ａと、入力されたアナログ信号をデジタルデータに変換するアナログ／デジタル変換器（以下、「ＡＤＣ」という。）１８Ａと、を含んで構成された第１撮像系８８Ａを備えている。また、デジタルカメラ１０は、前述のレンズ１２Ｂを含んで構成された光学ユニット１３Ｂと、レンズ１２Ｂの光軸後方に配設されたＣＣＤ１４Ｂと、ＣＤＳ１６Ｂと、ＡＤＣ１８Ｂと、を含んで構成された第２撮像系８８Ｂを備えている。
【００３４】
すなわち、本実施の形態に係るデジタルカメラ１０は、互いに同様の構成とされた第１撮像系８８Ａ及び第２撮像系８８Ｂの２つの撮像系を備えており、これらを用いることによって立体撮影を可能としている。なお、通常撮影モードが設定されており、通常の２次元の撮影を行う際には、第１撮像系８８Ａ及び第２撮像系８８Ｂの何れか一方が選択的に用いられる。
【００３５】
第１撮像系８８Ａにおいて、ＣＣＤ１４Ａの出力端はＣＤＳ１６Ａの入力端に、ＣＤＳ１６Ａの出力端はＡＤＣ１８Ａの入力端に、各々接続されている。同様に、第２撮像系８８Ｂにおいても、ＣＣＤ１４Ｂの出力端はＣＤＳ１６Ｂの入力端に、ＣＤＳ１６Ｂの出力端はＡＤＣ１８Ｂの入力端に、各々接続されている。
【００３６】
ここで、ＣＤＳ１６Ａ及びＣＤＳ１６Ｂによる相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３７】
一方、デジタルカメラ１０は、ＡＤＣ１８Ａ及びＡＤＣ１８Ｃの各々の出力端に入力端が接続されると共に、所定容量のラインバッファを内蔵し、入力されたデジタル画像データを後述する第２メモリ４０の所定領域に直接記憶させる制御を行う画像入力コントローラ２０と、通常撮影モードが設定されている際に、適用されている第１撮像系８８Ａ及び第２撮像系８８Ｂの何れか一方によって取得されたデジタル画像データに対して各種画像処理を施す画像信号処理回路２２と、立体撮影モードが設定されている際に、第１撮像系８８Ａ及び第２撮像系８８Ｂの双方によって取得された２つのデジタル画像データに対して各種画像処理を施して合成する立体画像信号処理回路２３と、所定の圧縮形式でデジタル画像データに対して圧縮処理を施す一方、圧縮処理されたデジタル画像データに対して圧縮形式に応じた形式で伸張処理を施す圧縮・伸張処理回路２４と、を備えている。
【００３８】
なお、画像信号処理回路２２及び立体画像信号処理回路２３は、それぞれ入力されたＲ、Ｇ、Ｂの各画像データの各々にゲインを乗算して増減するための３つの乗算器（図２では図示省略、図３参照）を含んで構成されており、後述するホワイトバランス調整処理を行なうことができるようになっている。
【００３９】
また、デジタルカメラ１０は、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号）を生成してビデオ出力端子ＯＵＴに出力するビデオ／ＬＣＤエンコーダ２８と、を備えている。
【００４０】
また、デジタルカメラ１０は、各種情報が記憶されたＲＯＭ３３を含んで構成されると共にデジタルカメラ１０全体の動作を司るＣＰＵ（中央演算処理装置）３２と、ＡＦ機能を働かせるために必要とされる物理量（本実施の形態では、ＣＣＤ１４Ａ及びＣＣＤ１４Ｂの少なくとも一方による撮像によって得られた画像のコントラスト値）を検出するＡＦ検出回路３４を含んで構成されている。
【００４１】
さらに、デジタルカメラ１０は、ＡＥ機能及びＡＷＢ（Automatic White Balance）機能を働かせるために必要とされる物理量（本実施の形態では、撮影に用いられているＣＣＤ１４Ａ及びＣＣＤ１４Ｂの少なくとも一方による撮像によって得られた画像の明るさを示す量（以下、「測光データ」という。））を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００４２】
また、デジタルカメラ１０は、スロットＳＬに装着された記録メディア４３をデジタルカメラ１０でアクセス可能とするためのメディアコントローラ４２と、スピーカ７２と、スピーカ７２によって外部に音声情報を出力するための処理を行う音声出力処理部４６と、２系統設けられたマイク（ステレオマイク）とアンプ８４を介して入力された音声情報を示すアナログ信号をデジタルカメラ１０において取り扱うことのできるデジタル音声データに変換する等の処理を行う音声入力処理部８２と、を含んで構成されている。
【００４３】
以上の画像入力コントローラ２０、画像信号処理回路２２、立体画像信号処理回路２３、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、音声出力処理部４６、及び音声入力処理部８２は、各々システムバスＢＵＳを介して相互に接続されている。
【００４４】
従って、ＣＰＵ３２は、画像信号処理回路２２及び立体画像信号処理回路２３に対するゲインの設定と、画像入力コントローラ２０、画像信号処理回路２２、立体画像信号処理回路２３、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、及び記録メディア４３へのアクセスと、音声出力処理部４６を介したスピーカ７２による音声情報の出力と、マイク、アンプ８４及び音声入力処理部８２を介した音声情報の入力と、を各々行うことができる。
【００４５】
一方、第１撮像系８８Ａには、主としてＣＣＤ１４Ａを駆動させるためのタイミング信号を生成してＣＣＤ１４Ａに供給するタイミングジェネレータ４８Ａが設けられており、当該タイミングジェネレータ４８Ａの入力端はＣＰＵ３２に、出力端はＣＣＤ１４Ａに、各々接続されており、ＣＣＤ１４Ａの駆動は、ＣＰＵ３２によりタイミングジェネレータ４８Ａを介して制御される。
【００４６】
更に、ＣＰＵ３２は第１撮像系８８Ａに設けられたモータ駆動部５０Ａの入力端に接続され、モータ駆動部５０Ａの出力端は光学ユニット１３Ａに備えられた焦点調整モータ、ズームモータ及び絞り駆動モータに接続されている。
【００４７】
すなわち、本実施の形態に係る光学ユニット１３Ａに含まれるレンズ１２Ａは複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０Ａから供給された駆動信号によって駆動される。
【００４８】
ＣＰＵ３２は、光学ズーム倍率を変更する際にはズームモータを駆動制御して光学ユニット１３Ａに含まれるレンズ１２Ａの焦点距離を変化させる。
【００４９】
また、ＣＰＵ３２は、ＣＣＤ１４Ａによる撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００５０】
なお、第２撮像系８８Ｂにも、第１撮像系８８Ａのものと同一の構成とされたタイミングジェネレータ４８Ｂ及びモータ駆動部５０Ｂが備えられており、第１撮像系８８Ａと同様に、これらを介してＣＰＵ３２により、ＣＣＤ１４Ｂの駆動と、光学ユニット１３Ｂに備えられた不図示のレンズ駆動機構に含まれる焦点調整モータ、ズームモータ及び絞り駆動モータの駆動と、が制御される。また、本実施の形態では、光学ユニット１３Ａ及び光学ユニット１３Ｂの焦点位置の変更可能な範囲が共通とされている。
【００５１】
更に、前述したレリーズボタン５２Ａ、モード切替スイッチ５２Ｂ、十字カーソルボタン５２Ｃ、ズームスイッチ５２Ｄ、及び電源スイッチ５２Ｅの各種ボタン類及びスイッチ類（図２では、「操作部５２」と総称。）はＣＰＵ３２に接続されており、ＣＰＵ３２は、これらのボタン類及びスイッチ類に対する操作状態を常時把握できる。
【００５２】
また、本実施の形態に係るデジタルカメラ１０には、電源回路５４と電池５６が備えられており、電源回路５４は、ＣＰＵ３２による制御の下に、電池５６から入力された電力に基づいて適切な作動用の電力を生成して各部に供給する。なお、錯綜を回避するために、同図では、電源回路５４から電力が供給される各部への接続線の図示を省略している。
【００５３】
更に、本実施の形態に係るデジタルカメラ１０には、クロックジェネレータ８０が備えられており、クロックジェネレータ８０は、ＣＰＵ３２による制御の下に適切なクロック信号を生成して各部に供給する。なお、錯綜を回避するために、同図では、クロックジェネレータ８０からクロック信号が供給される各部への接続線の図示を省略している。
【００５４】
次に、図３を参照して、上記立体画像信号処理回路２３におけるデジタル画像データに対する各種画像処理について説明する。
【００５５】
立体画像信号処理回路２３では、画像入力コントローラ２０を介して第１撮像系８８Ａ及び第２撮像系８８Ｂがにより取得されたデジタル画像データが時分割で交互に入力され、入力されたデジタル画像データに対して、オフセット処理９０、ホワイトバランス調整処理９２、ガンマ処理９４、ＹＣ信号処理９６及び立体画像処理９８を含む処理が順次施される。
【００５６】
まず、入力されたデジタル画像データに対し、当該デジタル画像データにおける黒色のデータを示す物理量が所定の基準の物理量となるようにオフセット処理９０が施され、その後、Ｒ、Ｇ、Ｂの各画像データは、上述した各乗算器にそれぞれ入力される。
【００５７】
一方、乗算器には、ホワイトバランスを制御するためのゲインＷＢ＿Ｒ、ＷＢ＿Ｇ、ＷＢ＿ＢがＣＰＵ３２により設定され、乗算器の各々は入力された画像データと設定されたゲインとを乗算する。この乗算によりホワイトバランスが調整されたＲ’、Ｇ’、Ｂ’の各画像データには、ガンマ処理９４が施され、Ｒ’、Ｇ’、Ｂ’の各画像データが所定のガンマ特性となるように入出力特性が変更され、更にＹＣ信号処理９６が施されて輝度信号Ｙとクロマ信号Ｃｒ、Ｃｂ（以下、「ＹＣ信号」という。）が生成される。
【００５８】
このようにして第１撮像系８８Ａ及び第２撮像系８８Ｂにより得られたＹＣ信号に立体画像処理９８が施され、合成されて立体画像を示すＹＣ信号が生成され、圧縮・伸張処理回路２４へ出力される。
【００５９】
ここで、ＣＰＵ３２は、上記ホワイトバランス調整処理９２に用いられる乗算器に対するゲインの設定を、上記ＡＥ・ＡＷＢ検出回路３６により検出された物理量又はＲＯＭ３３に記憶された調整情報に基づいて行なう。
【００６０】
図４には、ＲＯＭ３３に記憶された本実施の形態に係る調整情報が一例として模式的に示されている。同図に示されるように、当該調整情報は、第１撮像系８８Ａに対応するテーブル及び第２撮像系８８Ｂに対応するテーブルを備えており、各撮像系に対応するテーブルには、予め定められた複数の光源種（同図に示す例では、晴れ、曇り、日陰、電球、蛍光灯（白色）、蛍光灯（昼白色）及び蛍光灯（昼光色）。）と各光源種に応じたデジタルゲインとが関連付けされて記憶されている。
【００６１】
なお、各光源種に応じたデジタルゲインとしては、ＣＣＤ１４Ａ又はＣＣＤ１４Ｂの分光特性、各光源の色温度情報、各光源から照射される光の波長の分布等に基づいて、適正な色味を再現可能な値が適用されている。また、同図に示すように、本実施の形態では、感度の基準となるＧの画像データのデジタルゲイン（ＷＢａ＿Ｇ、ＷＢｂ＿Ｇ）をそれぞれ「１．０」で固定とし、これに対するＲの画像データのデジタルゲイン（ＷＢａ＿Ｒ、ＷＢｂ＿Ｒ）及びＢの画像データのデジタルゲイン（ＷＢａ＿Ｂ、ＷＢｂ＿Ｂ）がそれぞれ記憶されている。
【００６２】
次に、本実施の形態に係るデジタルカメラ１０の作用を説明する。まず、立体撮影モードが設定されている場合のデジタルカメラ１０の全体的な動作について説明する。
【００６３】
まず、第１撮像系８８Ａにおいて、ＣＣＤ１４Ａによる被写体像の光学ユニット１３Ａを介した撮像が行なわれ、被写体像を示す信号がＣＣＤ１４ＡからＣＤＳ１６Ａに順次出力される。
【００６４】
ＣＤＳ１６Ａは、ＣＣＤ１４Ａから入力された信号に対して相関二重サンプリング処理を施し、これによって得られたＲ（赤）、Ｇ（緑）、Ｂ（青）のアナログ画像信号を順次ＡＤＣ１８Ａに出力する。
【００６５】
そして、ＡＤＣ１８Ａは、ＣＤＳ１６Ａから入力されたＲ、Ｇ、Ｂのアナログ画像信号を各々１２ビットのＲ、Ｇ、Ｂ信号（デジタル画像データ）に変換して画像入力コントローラ２０に出力する。
【００６６】
この第１撮像系８８Ａの動作に並行して、第２撮像系８８Ｂにおいても、ＣＣＤ１４Ｂによる被写体像の光学ユニット１３Ｂを介した撮像が行なわれて当該被写体像を示す信号がＣＣＤ１４ＢからＣＤＳ１６Ｂに順次出力され、ＣＤＳ１６Ｂにより、ＣＣＤ１４Ｂから入力された信号に対して相関二重サンプリング処理を施し、これによって得られたＲ、Ｇ、Ｂのアナログ画像信号を順次ＡＤＣ１８Ｂに出力し、ＡＤＣ１８Ｂは、ＣＤＳ１６Ｂから入力されたＲ、Ｇ、Ｂのアナログ画像信号を各々１２ビットのＲ、Ｇ、Ｂ信号（デジタル画像データ）に変換して画像入力コントローラ２０に出力する。
【００６７】
画像入力コントローラ２０は内蔵しているラインバッファにＡＤＣ１８Ａ及びＡＤＣ１８Ｂから順次入力される２画像分のデジタル画像データを蓄積して一旦第２メモリ４０の所定領域に格納する。
【００６８】
第２メモリ４０の所定領域に格納された２画像分のデジタル画像データは、ＣＰＵ３２による制御下で立体画像信号処理回路２３によって読み出され、これらに上述した各種画像処理（図３参照）を施し、得られたＹＣ信号を第２メモリ４０の上記所定領域とは異なる領域に格納する。
【００６９】
なお、ＬＣＤ３０は、各撮像系による連続的な撮像によって得られた動画像（スルー画像）を表示してファインダとして使用することができるものとして構成されているが、このようにＬＣＤ３０をファインダとして使用する場合には、第２メモリの所定領域に格納された立体画像を示すＹＣ信号を、ビデオ／ＬＣＤエンコーダ２８を介して順次ＬＣＤ３０に出力する。これによってＬＣＤ３０にスルー画像が表示されることになる。
【００７０】
ここで、レリーズボタン５２Ａがユーザによって半押し状態とされたタイミングで、各撮像系において前述したようにＡＥ機能が働いて露出状態が設定された後、ＡＦ機能が働いて合焦制御され、その後、引き続き全押し状態とされたタイミングで、その時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４３に記録する。
【００７１】
なお、通常撮影モードが設定されている場合のデジタルカメラ１０の動作は、立体画像信号処理回路２３に代えて、画像信号処理回路２２により、予め選択された撮像系によって得られたデジタル画像データのみに対して各種画像信号処理を施してＹＣ信号を生成し、当該ＹＣ信号を第２メモリ４０に格納する点を除いて、上述した立体撮影モードが設定されている場合の動作と略同様であるので、ここでの説明は省略する。
【００７２】
ところで、デジタルカメラ１０では、上記ＡＥ・ＡＷＢ検出回路３６により検出された物理量に基づいてホワイトバランス調整を行なうオートホワイトバランス機能と、ＲＯＭ３３に記憶された調整情報に基づいてホワイトバランス調整を行なうプリセットホワイトバランス機能と、の何れか一方をユーザによる操作部５２の操作に応じて選択的に実行するようにしている。
【００７３】
ユーザによりプリセットホワイトバランス機能が選択された場合及びプリセットホワイトバランス機能における光源種の選択状況が変更された場合、デジタルカメラ１０では、立体画像信号処理回路２３に対してホワイトバランス調整処理９２を行なう際のゲインを設定するＷＢゲイン設定処理を実行する。
【００７４】
図５は、このときＣＰＵ３２が実行するＷＢゲイン設定処理プログラムの処理の流れを示すフローチャートであり、以下、同図を参照して本実施の形態に係るＷＢゲイン設定処理について説明する。
【００７５】
なお、ここでは、プリセットホワイトバランス機能が選択される際には、予め定められた複数の光源種の何れかが選択されるものとして説明する。
【００７６】
まず、ステップ１００では、選択された光源種に応じたデジタルゲインをＲＯＭ３３の各撮像光学系に応じたテーブルからそれぞれ読み出す。
【００７７】
例えば、選択された光源種が「日陰」であった場合、第１撮像系８８Ａに対応するテーブルからＷＢａ＿Ｇ＝１．０、ＷＢａ＿Ｒ＝４．０及びＷＢａ＿Ｂ＝１．０をそれぞれ読み出すと共に、第２撮像系８８Ｂに対応するテーブルからＷＢｂ＿Ｇ＝１．０、ＷＢｂ＿Ｒ＝４．８及びＷＢｂ＿Ｂ＝０．８をそれぞれ読み出す。
【００７８】
次のステップ１０２では、読み出したデジタルゲインを立体画像信号処理回路２３に設定した後、本ＷＢゲイン設定処理プログラムを終了する。
【００７９】
これ以降、立体画像信号処理回路２３では、ＣＰＵ３２により設定されたデジタルゲインのうち、処理対象となるデジタル画像データが取得された撮像系に応じたデジタルゲインを用いてホワイトバランス調整処理９２を行なう。
【００８０】
以上詳細に説明したように、本第１の実施の形態によれば、第１撮像系８８Ａ及び第２撮像系８８Ｂにより各々互いに異なる位置から被写体像を示すデジタル画像データを取得し、取得された複数のデジタル画像データのホワイトバランス調整処理を、予め設定されたゲインを用いて行なうに際し、各々第１撮像系８８Ａ及び第２撮像系８８Ｂと１対１で対応する情報であり、かつ対応する撮像系により取得されたデジタル画像データのホワイトバランス調整に用いる複数の調整情報を予めＲＯＭ３３に記憶しておき、各撮像系に対応する調整情報に基づいて各々の撮像系に対応するゲインを設定しているので、ホワイトバランス制御を高精度に行なうことができる。
【００８１】
また、本第１の実施の形態によれば、複数の光源種に応じた調整情報を記憶しておき、ＣＰＵ３２は、操作部５２の操作により選択された光源種に応じた調整情報に基づいてゲインを設定するようにしているので、各撮像系のゲインを複数の光源種に応じて設定することができ、光源の種類によって異なる色温度に応じたホワイトバランス調整が可能である。
【００８２】
さらに、本第１の実施の形態によれば、調整情報を、複数の光源種と各光源種に応じたデジタルゲインとを関連付けたものとしているので、選択された光源種と関連付けされたデジタルゲインをそのまま設定すればよいので、ゲインの設定処理が容易かつ高速に行なえる。
（第２の実施の形態）
上記第1の実施の形態では、立体画像信号処理回路２３に対するゲインの設定を行なうための調整情報として、第１撮像系８８Ａ及び第２撮像系８８Ｂにそれぞれ対応すると共に、予め定められた複数の光源種と各光源種に応じたデジタルゲインとを関連付けた２つのテーブルをＲＯＭ３３に記憶しておく形態について説明したが、本第２の実施の形態では、第１撮像系８８Ａに対応する調整情報として、予め定められた複数の光源種と各光源種に応じたデジタルゲインとを関連付けたテーブルを記憶しておき、第２撮像系８８Ｂに対応する調整情報として、当該第２撮像系８８Ｂのデジタルゲインを第１撮像系８８Ａのデジタルゲインに基づいて導出するための係数を記憶しておく形態について説明する。
【００８３】
なお、本第２の実施の形態に係るデジタルカメラの構成は、上述した第１の実施の形態に係るデジタルカメラ１０の構成（図１乃至図３参照）と同様であるので、ここでの説明を省略する。
【００８４】
図６には、ＲＯＭ３３に記憶された本実施の形態に係る調整情報が一例として模式的に示されている。同図に示されるように、第１撮像系８８Ａに対応する調整情報として、予め定められた複数の光源種と各光源種に応じたデジタルゲインとを関連付けたテーブルが記憶されており、第２撮像系８８Ｂに対応する調整情報として、当該第２撮像系８８Ｂのデジタルゲインを第１撮像系８８Ａのデジタルゲインに基づいて導出するための係数が記憶されている。
【００８５】
同図に示されるように、第１撮像系８８Ａに対応するテーブルには、予め定められた光源種（晴れ、曇り、日陰、電球、蛍光灯（白色）、蛍光灯（昼白色）、蛍光灯（昼光色））と各光源種に応じたデジタルゲインとが関連付けされて記憶されている。
【００８６】
なお、各光源種に応じたデジタルゲインとしては、ＣＣＤ１４Ａの分光特性、各光源の色温度情報、各光源から照射される光の波長の分布等に基づいて、適正な色味を再現可能な値が適用されている。また、同図に示すように、本実施の形態では、感度の基準となるＧの画像データのデジタルゲイン（ＷＢａ＿Ｇ）を「１．０」で固定とし、これに対するＲの画像データのデジタルゲイン（ＷＢａ＿Ｒ）及びＢの画像データのデジタルゲイン（ＷＢａ＿Ｂ）がそれぞれ記憶されている。
【００８７】
また、第２撮像系８８Ｂのデジタルゲインを第１撮像系８８Ａのデジタルゲインに基づいて導出するための係数は、感度の基準となるＷＢｂ＿Ｇについては１．０とし、係数α及び係数βは、製造ライン等において基準光源に対してＧの値を１．０とし、Ｒ、Ｇ、Ｂのバランスを調整する際に得られた各撮像系のＲ、Ｂの値、各撮像系の分光特性の差等に基づくデータ及び実機を用いた実験やシミュレーション等により得られたデータに基づいて導出された係数を適用することができる。
【００８８】
次に、図７を参照して、本第２の実施の形態に係るＷＢゲイン設定処理について説明する。なお、図７は、ユーザによりプリセットホワイトバランス機能が選択された場合及びプリセットホワイトバランス機能における光源種の選択状況が変更された場合にＣＰＵ３２が実行するＷＢゲイン設定処理プログラムの処理の流れを示すフローチャートである。
【００８９】
なお、ここでは、プリセットホワイトバランス機能が選択される際には、予め定められた複数の光源種の何れかが選択されるものとして説明する。
【００９０】
まず、ステップ１１０では、係数及び選択された光源種に応じたデジタルゲインを読み出し、次のステップ１１２では、第２撮像系８８Ｂのデジタルゲインを導出する。
【００９１】
例えば、選択された光源種が「日陰」であった場合、第１撮像系８８Ａに対応するテーブルからＷＢａ＿Ｇ＝１．０、ＷＢａ＿Ｒ＝４．０及びＷＢａ＿Ｂ＝１．０をそれぞれ読み出すと共に、第２撮像系８８Ｂの調整情報（係数１．０、α及びβ）を読み出し、係数１．０、α及びβを選択された光源種に対応する第１撮像系８８ＡのデジタルゲインＷＢａ＿Ｇ＝１．０、ＷＢａ＿Ｒ＝４．０及びＷＢａ＿Ｂ＝１．０にそれぞれ乗算し、第２撮像系８８ＢのデジタルゲインＷＢｂ＿Ｇ＝１．０、ＷＢｂ＿Ｒ＝α×４．０及びＷＢｂ＿Ｂ＝β×１．０を導出する。
【００９２】
次のステップ１１４では、各撮像系のデジタルゲインを立体画像信号処理回路２３に設定した後、本ＷＢゲイン設定処理プログラムを終了する。
【００９３】
これ以降、立体画像信号処理回路２３では、ＣＰＵ３２により設定されたデジタルゲインのうち、処理対象となるデジタル画像データが取得された撮像系に応じたデジタルゲインを用いてホワイトバランス調整処理９２を行なう。
【００９４】
以上詳細に説明したように、本第２の実施の形態によれば、第１撮像系８８Ａ及び第２撮像系８８Ｂにより各々互いに異なる位置から被写体像を示すデジタル画像データを取得し、取得された複数のデジタル画像データのホワイトバランス調整処理を、予め設定されたゲインを用いて行なうに際し、各々第１撮像系８８Ａ及び第２撮像系８８Ｂと１対１で対応する情報であり、かつ対応する撮像系により取得されたデジタル画像データのホワイトバランス調整に用いる複数の調整情報を予めＲＯＭ３３に記憶しておき、各撮像系に対応する調整情報に基づいて各々の撮像系に対応するゲインを設定しているので、ホワイトバランス制御を高精度に行なうことができる。
【００９５】
また、本第２の実施の形態によれば、複数の光源種に応じた調整情報を記憶しておき、ＣＰＵ３２は、操作部５２の操作により選択された光源種に応じた調整情報に基づいてゲインを設定するようにしているので、各撮像系のゲインを複数の光源種に応じて設定することができ、光源の種類によって異なる色温度に応じたホワイトバランス調整が可能である。
【００９６】
さらに、本第２の実施の形態によれば、第１撮像系８８Ａに対応する調整情報を複数の光源種と各光源種に応じたデジタルゲインとを関連付けたものとし、第２撮像系８８Ｂに対応する調整情報を第１撮像系８８Ａの各光源種に応じたデジタルゲインに基づいて当該第２撮像系８８Ｂのデジタルゲインを導出するための係数とし、係数及び第１撮像系８８Ａの選択された光源種に応じたデジタルゲインに基づいて第２撮像系８８Ｂのデジタルゲインを導出し、各撮像系のゲインをそれぞれ立体画像信号処理回路２３に設定するようにしているので、第２撮像系８８Ｂに対応する調整情報の情報容量を少なくすることができるので、ＲＯＭ３３の記憶容量を節約することができる。
【００９７】
なお、本第２の実施の形態では、第２撮像系８８Ｂの各画像データ（Ｒ、Ｇ、Ｂ）に対して１種類の係数を記憶しておく形態について説明したが、本発明はこれに限定されるものではなく、複数の係数を記憶しておくようにしてもよい。
【００９８】
例えば、図８に示されるように、係数を、輝線を持たない光源種に応じた係数α１、β１及び輝線を持つ光源種に応じた係数α２、β２の２種類とし、選択された光源種の輝線の有無に応じた係数及び第１撮像系８８Ａの選択された光源種に応じたデジタルゲインに基づいて第２撮像系８８Ｂのデジタルゲインを導出し、各撮像系のデジタルゲインを立体画像信号処理回路２３に設定するようにすることもできる。これにより、ＲＯＭ３３の記憶容量を節約しつつ光源種の輝線の有無による色温度の極端な違いを考慮して、ホワイトバランス制御を高精度に行なうことができる。
（第３の実施の形態）
上記第1の実施の形態では、立体画像信号処理回路２３に対するゲインの設定を行なうための調整情報として、第１撮像系８８Ａ及び第２撮像系８８Ｂにそれぞれ対応すると共に、予め定められた複数の光源種と各光源種に応じたデジタルゲインとを関連付けた２つのテーブルをＲＯＭ３３に記憶しておく形態について説明したが、本第３の実施の形態では、第１撮像系８８Ａに対応する調整情報として、予め定められた複数の光源種と各光源種に応じたデジタルゲインとを関連付けたテーブルを記憶しておき、第２撮像系８８Ｂに対応する調整情報として、所定の光源種に応じたデジタルゲインを当該光源種に関連付けて記憶しておく形態について説明する。
【００９９】
なお、本第３の実施の形態に係るデジタルカメラの構成は、上述した第１の実施の形態に係るデジタルカメラ１０の構成（図１乃至図３参照）と同様であるので、ここでの説明を省略する。
【０１００】
図９には、ＲＯＭ３３に記憶された本実施の形態に係る調整情報が一例として模式的に示されている。同図に示されるように、第１撮像系８８Ａに対応するテーブルでは、予め定められた光源種（晴れ、曇り、日陰、電球、蛍光灯（白色）、蛍光灯（昼白色）、蛍光灯（昼光色））と各光源種に応じたデジタルゲインとが関連付けされている。
【０１０１】
また、第２撮像系８８Ｂについては、所定の光源種（晴れ）に応じたデジタルゲインのみが当該光源種と関連付けされている。
【０１０２】
なお、各光源種に応じたデジタルゲインとしては、ＣＣＤ１４Ａの分光特性、各光源の色温度情報、各光源から照射される光の波長の分布等に基づいて、適正な色味を再現可能な値が適用されている。また、同図に示すように、本実施の形態では、感度の基準となるＧの画像データのデジタルゲイン（ＷＢａ＿Ｇ）を「１．０」で固定とし、これに対するＲの画像データのデジタルゲイン（ＷＢａ＿Ｒ）及びＢの画像データのデジタルゲイン（ＷＢａ＿Ｂ）がそれぞれ記憶されている。
【０１０３】
次に、図１０を参照して、本第２の実施の形態に係るＷＢゲイン設定処理について説明する。なお、図１０は、ユーザによりプリセットホワイトバランス機能が選択された場合及びプリセットホワイトバランス機能における光源種の選択状況が変更された場合にＣＰＵ３２が実行する、ＷＢゲイン設定処理プログラムの処理の流れを示すフローチャートである。
【０１０４】
なお、ここでは、プリセットホワイトバランス機能が選択される際には、予め定められた複数の光源種の何れかが選択されるものとして説明する。
【０１０５】
まず、ステップ１２０では、第１撮像系８８Ａ及び第２撮像系８８Ｂの所定の光源種に応じたデジタルゲインを読み出し、次のステップ１２２では、選択された光源種が所定の光源種であるか否かを判定する。当該判定が肯定判定となった場合はステップ１２４に移行して読み出したデジタルゲインを立体画像信号処理回路２３に設定した後、本ＷＢゲイン設定処理プログラムを終了する。
【０１０６】
一方、ステップ１２２で否定判定となった場合は、第２撮像系のデジタルゲインを導出する必要があると判断してステップ１２６に移行し、所定の光源種に応じたデジタルゲインを用いて、第１撮像系８８Ａのデジタルゲインと、第２撮像系８８Ｂのデジタルゲインとの比率（ＷＢｂ／ＷＢａ）を導出する。
【０１０７】
すなわち、第１撮像系８８Ａに対応するテーブルからＷＢａ＿Ｇ＝１．０、ＷＢａ＿Ｒ＝２．０及びＷＢａ＿Ｂ＝３．０をそれぞれ読み出し、第２撮像系８８Ｂに対応する調整情報ＷＢｂ＿Ｇ＝１．０、ＷＢｂ＿Ｒ＝２．４及びＷＢｂ＿Ｂ＝２．４を読み出して、Ｇ、Ｒ、Ｂのそれぞれについての比率として、
（ＷＢｂ＿Ｇ／ＷＢａ＿Ｇ）＝１．０
（ＷＢｂ＿Ｒ／ＷＢａ＿Ｒ）＝１．２
（ＷＢｂ＿Ｂ／ＷＢａ＿Ｂ）＝０．８
を導出する。
【０１０８】
次のステップ１２８では、第１撮像系８８Ａの選択された光源種に応じたデジタルゲインを読み出し、その後ステップ１３０に移行して、上記ステップ１２６で導出した比率と上記ステップ１２８で読み出した第１撮像系８８Ａの選択された光源種に応じたデジタルゲインとに基づいて第２撮像系８８Ｂのデジタルゲインを導出する。
【０１０９】
例えば、選択された光源種が曇りであるとすると、第１撮像系８８ＡのデジタルゲインとしてＷＢａ＿Ｇ＝１．０、ＷＢａ＿Ｒ＝３．０及びＷＢａ＿Ｂ＝２．０をそれぞれ読み出して、これらのデジタルゲインに導出された係数を乗算し、第２撮像系８８Ｂのデジタルゲインとして、
ＷＢｂ＿Ｇ＝１．０×１．０＝１．０
ＷＢｂ＿Ｒ＝３．０×１．２＝３．６
ＷＢｂ＿Ｂ＝２．０×０．８＝１．６
を導出する。
【０１１０】
次のステップ１３２では、各撮像系のデジタルゲインを立体画像信号処理回路２３に設定した後、本ＷＢゲイン設定処理プログラムを終了する。
【０１１１】
これ以降、立体画像信号処理回路２３では、ＣＰＵ３２により設定されたデジタルゲインのうち、処理対象となるデジタル画像データが取得された撮像系に応じたデジタルゲインを用いてホワイトバランス調整処理９２を行なう。
【０１１２】
以上詳細に説明したように、本第３の実施の形態によれば、第１撮像系８８Ａ及び第２撮像系８８Ｂにより各々互いに異なる位置から被写体像を示すデジタル画像データを取得し、取得された複数のデジタル画像データのホワイトバランス調整処理を、予め設定されたゲインを用いて行なうに際し、各々第１撮像系８８Ａ及び第２撮像系８８Ｂと１対１で対応する情報であり、かつ対応する撮像系により取得されたデジタル画像データのホワイトバランス調整に用いる複数の調整情報を予めＲＯＭ３３に記憶しておき、各撮像系に対応する調整情報に基づいて各々の撮像系に対応するゲインを設定しているので、ホワイトバランス制御を高精度に行なうことができる。
【０１１３】
また、本第３の実施の形態によれば、複数の光源種に応じた調整情報を記憶しておき、ＣＰＵ３２は、操作部５２の操作により選択された光源種に応じた調整情報に基づいてゲインを設定するようにしているので、各撮像系のゲインを複数の光源種に応じて設定することができ、光源の種類によって異なる色温度に応じたホワイトバランス調整が可能である。
【０１１４】
さらに、本第３の実施の形態によれば、第１撮像系８８Ａに対応する調整情報を複数の光源種と各光源種に応じたデジタルゲインとを関連付けたものとし、第２撮像系８８Ｂに対応する調整情報を所定の光源種と当該光源種に応じたデジタルゲインとを関連付けたものとし、選択された光源種が所定の光源種以外の光源種であった場合には、第１撮像系８８Ａの所定の光源種に応じたデジタルゲインと第２撮像系８８Ｂの所定の光源種に応じたデジタルゲインとの比率を導出し、当該比率及び第１撮像系８８Ａの選択された光源種に応じたデジタルゲインを用いて第２撮像系８８Ｂのデジタルゲインを導出し、選択された光源種に応じた各撮像光学系のデジタルゲインを立体画像信号処理回路２３に設定するようにしているので、選択情報により示される光源種が所定の光源種であった場合はデジタルゲインをそのまま設定すればよく、ＷＢゲイン設定処理が容易かつ高速に行なえる一方、その他の光源種であった場合は第１撮像系８８Ａ及び第２撮像系８８Ｂの所定の光源種に応じたデジタルゲインと、第１撮像系８８Ｂの選択された光源種に応じたデジタルゲインとを用いて第２撮像系のデジタルゲインを導出するので、第２撮像系８８Ｂに対応する調整情報の情報容量を少なくすることができ、ＲＯＭ３３の記憶容量を節約することができる。
【０１１５】
なお、所定の光源種としては、すべての光源種の基準となる光源種（図９における「晴れ」など）を適用することにより、適切な調整値を導出することができる。
【０１１６】
また、最もよく用いられると予測される光源等を適用することもでき、これにより最も使用される頻度の高い光源下において最も高精度にホワイトバランス調整を行うことができる。さらに、製造ライン等においてＧの値を１．０とし、Ｒ、Ｇ、Ｂのバランスを調整する際に用いられる基準光源を適用することもできる。
【０１１７】
なお、上記各実施の形態では、ＷＢａ＿Ｇ及びＷＢｂ＿Ｇの値を「１．０」で固定とする形態について説明したが、本発明はこれに限定されるものではなく、基準となる値については適宜変更可能であることは言うまでもない。
【０１１８】
また、ＷＢａ＿Ｇ及びＷＢｂ＿Ｇの値を固定とする場合、ＷＢａ＿Ｇ及びＷＢｂ＿Ｇのテーブルや係数に代えて固定値を記憶しておくようにしてもよいし、予め固定としたゲインについては、出荷時等の調整によりゲインを設定した後はゲインの設定を行なわないようにすることもできる。これにより、さらに調整情報の情報容量を少なくすることができる。
【０１１９】
また、本実施の実施の形態で説明したフローチャート（図４及び図５参照）の処理の流れは一例であり、本発明の主旨を逸脱しない範囲内において適宜変更可能であることは言うまでもない。
【０１２０】
さらに、以上のデジタルカメラ１０の構成（図１、図２参照）は一例であり、本発明の主旨を逸脱しない範囲内において適宜変更可能であることは言うまでもない。
【０１２１】
例えば、本実施の実施の形態では、光学ユニットを２系統備えた場合について説明したが、本発明はこれに限定されるものではなく、３系統以上の光学系ユニットを備えたカメラについても適用することができる。
【０１２２】
また、上記各実施の形態では、モード切換スイッチ５２Ｂの操作によりデジタルカメラのモードが立体撮影モード、通常撮影モード及び再生モードの何れかが設定されるものとして説明したが、モード切換スイッチの操作によりデジタルカメラを撮影モード及び再生モードの何れかに設定するようにし、さらに立体画像を取扱う立体画像モードと通常の画像を取扱う通常画像モードの何れかを設定するためのスイッチを別途設けてもよい。このように構成した場合、デジタルカメラは、これらのスイッチの操作状態に応じて、立体画像撮影モード、通常画像撮影モード、立体画像再生モード及び通常画像再生モードの何れかのモードで動作することになる。
【０１２３】
さらに、上記各実施の形態では、本発明をデジタルカメラに適用した場合について説明したが、本発明はデジタルカメラに限定されるものではなく、銀鉛写真フィルムを用いるカメラにも適用することもできる。
【図面の簡単な説明】
【０１２４】
【図１】実施の形態に係るデジタルカメラの外観を示す外観図である。
【図２】実施の形態に係るデジタルカメラの電気系の構成を示すブロック図である。
【図３】実施の形態に係る立体画像信号処理回路の機能ブロック図である。
【図４】第１の実施の形態に係る調整情報の一例を示す模式図である。
【図５】第１の実施の形態に係るＷＢゲイン設定処理プログラムの処理の流れを示すフローチャートである。
【図６】第２の実施の形態に係る調整情報の一例を示す模式図である。
【図７】第２の実施の形態に係るＷＢゲイン設定処理プログラムの処理の流れを示すフローチャートである。
【図８】他の形態に係る調整情報の一例を示す模式図である。
【図９】第３の実施の形態に係る調整情報の一例を示す模式図である。
【図１０】第３の実施の形態に係るＷＢゲイン設定処理プログラムの処理の流れを示すフローチャートである。
【符号の説明】
【０１２５】
１０    デジタルカメラ
２３    立体画像信号処理回路（調整手段）
３２    ＣＰＵ（設定手段）
３３    ＲＯＭ（記憶手段）
８８Ａ    第１撮像系（撮像光学系）
８８Ｂ    第２撮像系（撮像光学系）
【図１】
0004227030.tif 000002
【図２】
0004227030.tif 000003
【図３】
0004227030.tif 000004
【図４】
0004227030.tif 000005
【図５】
0004227030.tif 000006
【図６】
0004227030.tif 000007
【図７】
0004227030.tif 000008
【図８】
0004227030.tif 000009
【図９】
0004227030.tif 000010
【図１０】
0004227030.tif 000011